(57)【要約】【課題】従来の軟水化装置は、陽イオン交換樹脂の再生に塩が用いられており、軟水の使用水量に応じて定期的に塩を補充する必要があり、塩の補充に手間がかかるという課題があった。【解決手段】本発明の軟水化装置は、陽イオン交換体を充填した陽極室と陰イオン交換体を充填した陰極室を隔膜で分離形成し、陽極室および陰極室に電極を備え、陽イオン交換体および陰イオン交換体の再生時には電極間に電圧を印加することで、生成させた水素イオンと水酸化イオンにより、前記陽イオン交換体および陰イオン交換体を再生することで、薬剤の供給を不要とし連続的に軟水を得ることができる。【選択図】図１
2010069407.tif 000002
【特許請求の範囲】
【請求項１】
陽イオン交換体を充填した陽極室と陰イオン交換体を充填した陰極室を隔膜で分離形成し、前記陽極室および前記陰極室に電極を備え、前記陽イオン交換体および前記陰イオン交換体の再生時には前記電極間に電圧を印加し、生成させた水素イオンと水酸化イオンにより、前記陽イオン交換体および陰イオン交換体を再生することを特徴とした軟水化装置。
【請求項２】
給水路に塩素除去手段を備え、陰極室に通水した後の水を陽極室に通水する構成とした請求項１記載の軟水化装置。
【請求項３】
塩素除去手段は、少なくとも亜鉛、銅のいずれかを含む金属体とする請求項２記載の軟水化装置。
【請求項４】
軟水の採水時と、陽イオン交換体および陰イオン交換体の再生時では、軟水化装置への通水流量を変化させる流量可変手段を備えたことを特徴とする請求項１〜３のいずれか１項に記載の軟水化装置。
【請求項５】
隔膜は陽イオン交換膜面と陰イオン交換膜面を持つバイポーラ膜としたことを特徴とする請求項１〜４のいずれか１項に記載の軟水化装置。
【請求項６】
陽イオン交換体および陰イオン交換体は、イオン交換基を有する粒状、織布、不織布、繊維ないしはその加工品としたことを特徴とする請求項１〜５のいずれか１項に記載の軟水化装置。
【請求項７】
請求項１から６のいずれか１項に記載した軟水化装置を備えた給湯装置。
【発明の詳細な説明】
【技術分野】
【０００１】
本発明は、薬剤の供給を不要とし連続的に軟水を供給するための軟水化装置および軟水化装置を用いた給湯装置に関するものである。
【背景技術】
【０００２】
従来、軟水生成装置としてはイオン交換樹脂や逆浸透膜、電気透析を用いたものが数多く提案されており、例えば、ナトリウムイオンを交換基として有する陽イオン交換樹脂を用い、陽イオン交換樹脂によって原水中に含まれる硬度成分であるカルシウムイオンやマグネシウムイオンをナトリウムイオンにイオン交換して軟水を得るものが知られている。
【０００３】
そして、陽イオン交換樹脂の交換基であるナトリウムイオンがすべてカルシウムイオンやマグネシウムイオンと交換された後は、イオン交換ができなくなるため、再びイオン交換を行えるように、陽イオン交換樹脂の再生を行う必要がある。
【０００４】
この陽イオン交換樹脂の再生には、塩などが用いられており、軟水の使用水量に応じて定期的に塩を補充する必要があり、塩の補充に手間がかかるという課題があった。
【０００５】
そこで、塩を用いない陽イオン交換樹脂の再生方法として、逆浸透膜を用い軟水を得る方法（例えば、特許文献１参照）や、電気透析により軟水を得る方法、電気透析の電極間にイオン交換樹脂を充填し、水の解離により生成する水素イオンにより陽イオン交換樹脂を効率的に再生する方法（例えば、特許文献２参照）が提案されている。
【特許文献１】特開平７−６８２５６号公報
【特許文献２】特開２００６−４３５４９号公報
【発明の開示】
【発明が解決しようとする課題】
【０００６】
しかしながら逆浸透膜や電気透析を用いて軟水を得る方法では、濃縮水の流量を減少させると、濃縮部で硬度成分の析出が起こるため膜の閉塞がおきるという課題があった。また水の解離により生成する水素イオンにより陽イオン交換樹脂を効率的に再生する方法においても、再生を行うための水の使用量を減少させると濃縮室で硬度成分の濃縮が起こり隔膜の目詰まりが生じるため、メンテナンスが必要になるという課題があった。
【課題を解決するための手段】
【０００７】
前記従来の課題を解決するために本発明の軟水化装置は、陽イオン交換体を充填した陽極室と陰イオン交換体を充填した陰極室を隔膜で分離形成し、陽極室および陰極室に電極を備え、陽イオン交換体および陰イオン交換体の再生時には前記電極間に電圧を印加することで、生成させた水素イオンと水酸化イオンにより、前記陽イオン交換体および陰イオン交換体を再生することを特徴としている。
【発明の効果】
【０００８】
本発明の軟水化装置は、再生時には電極間に電圧を印加することで、生成させた水素イオンと水酸化イオンにより、陽イオン交換体および陰イオン交換体を再生することができる。これにより、薬剤などの供給を不要としメンテレスで軟水を得ることが可能となる。
【発明を実施するための最良の形態】
【０００９】
第１の発明における軟水化装置は、陽イオン交換体を充填した陽極室と陰イオン交換体を充填した陰極室を隔膜で分離し、陽極室および陰極室に電極を備え、陽イオン交換体お
よび陰イオン交換体の再生時には電極間に電圧を印加することで、生成させた水素イオンと水酸化イオンにより、陽イオン交換体および陰イオン交換体を再生することで、薬剤などの供給を不要としメンテレスで軟水を得ることが可能となる。
【００１０】
第２の発明における軟水化装置は第１の構成に加え、給水路に塩素除去手段を備え、陰極室に通水した後の水を陽極室に通水する構成としている。これにより、陽イオン交換体および陰イオン交換体を酸化劣化させる給水中の塩素化合物を除去することができる。残留塩素を除去することでイオン交換体の劣化を防止することができる。また、陰極室に通水した後の水を陽極室に通水させる構成としたことで、再生時に陽極室で発生した塩素化合物が陰極室に流入するのを防止できる。
【００１１】
第３の発明における軟水化装置は、塩素除去手段を、少なくとも亜鉛、銅のいずれかを含む金属体で構成している。亜鉛や銅などの金属体により塩素化合物を消費させることで給水中の塩素化合物を除去することができる。
【００１２】
第４の発明における軟水化装置は、軟水の採水時とイオン交換体の再生時で、軟水化装置への通水流量を変化させる流量可変手段を備えた構成としている。再生時の通水流量を採水時よりも低下させることで、再生時に発生する捨て水量を低減することができる。
【００１３】
第５の発明における軟水化装置は、隔膜を陽イオン交換膜面と陰イオン交換膜面を持つバイポーラ膜で構成している。隔膜としてバイポーラ膜を用いることで、水の解離を起こりやすくすることができるため、イオン交換体の再生を効率的に行うことができる。
【００１４】
第６の発明における軟水化装置は、イオン交換体はイオン交換基を有する織布、不織布、繊維ないしはその加工品で構成し、イオン交換体を織布、不織布、繊維とすることで軟水室にイオン交換体を均一に充填することができる。
【００１５】
第７の発明は、前記発明の軟水化装置を給湯装置に搭載したものである。給湯装置に軟水化装置を搭載することで、給湯熱交換器の伝熱面に形成するスケール生成を抑制することができる。これにより、熱交換器の水回路閉塞を防止できると共に、熱交換効率を高めることができる。
【００１６】
以下、本発明の実施の形態について、図面を参照しながら説明する。各実施の形態において、同じ形態および同じ動作を行う部分については同一符号を付与し、詳細な説明を省力する。なお、本実施の形態によって本発明が限定されるものではない。
【００１７】
（実施の形態１）
図１は本発明の第１の実施の形態における軟水化装置の構成図である。給水路１と、給水路１に設けた塩素除去手段２と、塩素除去手段２で水中の塩素化合物を除去した水をイオン交換により軟水化する軟水化手段３を備え、軟水化手段３は隔膜４で陽極室５と陰極室６に分離されている。陽極室５には陽イオン交換体７と陽極８を設け、陰極室６には陰イオン交換体９と陰極１０を設けている。陽イオン交換体７としては、強酸性陽イオン交換樹脂や弱酸性陽イオン交換樹脂など陽イオンを交換する官能基を有したものを用いることができる。また陰イオン交換体９としては、強塩基性陰イオン交換樹脂や弱塩基性イオン交換樹脂など陰イオンを交換する官能基を有したものを用いることができる。イオン交換体としては、水の解離により生成した水素イオンおよび水酸化イオンで再生できるものであれば官能基を限定するものではないが、再生のしやすさから弱酸性陽イオン交換樹脂と弱塩基性陰イオン交換樹脂の組み合わせが望ましい。
【００１８】
給水路１は塩素除去手段２を介して、陰極室６に設けた陰極室入り口１１と接続されて
おり、陰極室出口１２は陽極室入り口１３と接続されている。さらに陽極室出口１４は軟水を使用する軟水使用機器１５と接続されている。陽極室出口１４と軟水使用機器１５を接続する流路には再生切り替え弁１６を設け、再生切り替え弁１６は採水時に軟水使用機器１５に給水する流路と、再生時に生成する捨て水を排水する排水流路１７とに流路を切り替える構成となっている。排水流路１７には排水流量を調整するための圧損抵抗１８を設けた構成としている。
【００１９】
塩素除去手段２には、亜鉛、銅のいずれかを含む金属混合物ないしは金属合金物を充填しており、充填体の形状としては、粒状、ラシヒリング等のリング形やサドル形、はにかむなどの形状を用いることが可能である。
【００２０】
隔膜４は、ポリエチレンテレフタレート、ポリエステル、フッ素系高分子素材の不織布や織布などを用いることができる。陽極８および陰極１０はチタンを基材として白金、イリジウムなどの貴金属をメッキもしくは焼結した貴金属電極を用いており、電極の形状としては、平板、メッシュ、パンチングなどの形状を用いることが可能であり、所定の電極面積を確保できるのであれば電極の形状に制約を設けるものではない。また、陽極８および陰極１０間には直流電源（図示せず）により、直流電圧が印加される構成となっている。
【００２１】
以上のように構成された軟水化装置において動作および作用を説明する。
【００２２】
軟水使用機器１５で軟水を使用するとき、再生切り替え弁１６を軟水使用機器１５側に切り替える。給水路１からの給水は塩素除去手段２を介して軟水化手段３に給水される。このとき水中の塩素化合物は、塩素除去手段２の内部に充填した亜鉛や銅などの金属体と反応することで除去され、イオン交換体を劣化させる塩素化合物を除去した水が陰極室６に給水される。
【００２３】
軟水化手段３に給水された水は、陰極室６に充填した陰イオン交換体９により炭酸イオンや塩素イオンなどの陰イオンが水酸化イオンとイオン交換された後、陽極室５に給水され、陽極室５に充填した陽イオン交換体７により、ナトリウムやカルシウムなどの陽イオンは水素イオンとイオン交換される。陽極室出口１４からはこのようにして生成された軟水が軟水使用機器１５に供給される。
【００２４】
軟水を使用する機器１５としては、洗濯機や食器洗浄機など洗浄機器、調理機器、スケールの析出が問題となるスチーム使用機器、美容理容機器などに用いることができる。洗濯機や食器洗浄機などの洗浄機器では、硬度成分が界面活性剤の働きを阻害するため軟水を用いることで洗浄力を高めることができるとともに、硬度成分による石鹸かすの生成を抑制するため、衣類のごわつきや食器の水滴残りなどを防ぐことができ高品位な仕上がりを提供することができる。
【００２５】
また、調理機器として炊飯器などに用いた場合には、軟水の効果により米への吸水を促進、米粒の崩れ・硬さのバランス向上などのご飯の食味を向上することができる。また軟水は、昆布などの旨味成分（アミノ酸）の抽出も促進するため、軟水の適した素材に対して軟水調理を行うことで、調理品の食味を向上することができる。
【００２６】
つぎに陽イオン交換体７および陰イオン交換体９の再生時の作用について説明する。陽イオン交換体７および陰イオン交換体９の再生時には、陽極８および陰極１０間に直流電圧を印加するとともに、再生切り替え弁１６を排水流路１７側に切り替える。給水路１からの給水は塩素除去手段２を介して軟水化手段３に給水される。このとき水中の塩素化合物は、塩素除去手段２の内部に充填した亜鉛や銅などの金属体と反応することで除去され
、イオン交換体を劣化させる塩素化合物を除去した水が陰極室６に給水される。
【００２７】
陰極室６では水の解離により水酸化イオンが生成し、陰イオン交換体９に吸着した炭酸イオンや塩素イオンなどの陰イオンは水酸化イオンとイオン交換され、陰イオン交換体９より炭酸イオンや塩素イオンが離脱する。つぎに、陰極室６からの水は陽極室５に通水され、水の解離により生成した水素イオンが生成する。これにより陽イオン交換体７に吸着したカルシウムなどの陽イオンは水素イオンとイオン交換され、陽イオン交換体７よりカルシウムなどの陽イオンが離脱する。またこのとき陽極室では水素イオンの生成のみでなく次亜塩素酸の生成も起こることが知られている。
【００２８】
本実施の形態では、陰イオン交換体６を充填した陰極室６を通水した後、陽極室５を通水させる構成としているため、陽極室５で生成した塩素化合物が陰極室に流入するのを防止することができる。陰イオン交換体６の官能基は陽イオン交換体７の官能基よりも塩素化合物に弱く劣化が起こりやすいため、陰極室６を通水した後、陽極室５を通水させる構成とすることでイオン交換体の劣化を防止することができる。
【００２９】
このように、再生時に電極間に電圧を印加することで生成させた水素イオンと水酸化イオンにより、陽イオン交換体および陰イオン交換体を再生することがで、薬剤などの供給を不要としメンテレスで軟水を得ることが可能となる。
【００３０】
軟水化手段３からの再生時の排水は、再生切り替え弁１６および圧損抵抗１８を介して排水流路１７より排水される。このように排水流路１７に圧損抵抗１８を設けることで、簡易な構成により採水時とイオン交換体の再生時で、軟水化装置への通水流量を変化させることができる。再生時の通水流量を採水時よりも低下させることで、再生時に発生する捨て水量を低減することができる。
【００３１】
なお本実施の形態では、通水流量可変手段として圧損抵抗１８を設けた構成を示したが、圧損抵抗を用いず、給水を断続的に行うことで通水流量を低下させる方法を用いた場合においても同様の効果を得ることができる。
【００３２】
（実施の形態２）
つぎに、本発明の第２の実施形態について、図面を参照しながら説明する。実施の形態１と異なる点は、隔膜４にバイポーラ膜を用いた点である。図２は軟水化手段の構成図である。軟水化手段３は、陽イオン交換膜面と陰イオン交換膜面を持つバイポーラ膜１９で陽極室５と陰極室６を分離し、陽極室５には陽イオン交換基を有する不織布からなる陽イオン交換体２０、陰極室６には陰イオン交換基を有する不織布からなる陰イオン交換体２１を充填した構成としている。
【００３３】
上記構成において、再生時の動作を説明する。陽極８および陰極１０の間に直流電圧を印加することで、バイポーラ膜１９の内部界面で水の解離がおきる。陰極室６では水の解離により生成した水酸化イオンが、陰イオン交換体２１に吸着した炭酸イオンや塩素イオンなどの陰イオンとイオン交換され、陰イオン交換体２１より炭酸イオンや塩素イオンが離脱する。また陽極室５では、水の解離により生成した水素イオンが、陽イオン交換体２０に吸着したカルシウムなどの陽イオンとイオン交換され、陽イオン交換体２０よりカルシウムなどの陽イオンが離脱する。
【００３４】
隔膜としてバイポーラ膜を用いることで、水の解離を起こりやすくすることができるため、イオン交換体の再生を効率的に行うことができる。
【００３５】
なお、イオン交換体の形態としては粒状、織布、不織布ないしはその加工品を用いるこ
とが可能であるが、イオン交換体を織布もしくは不織布の形態とすることで軟水室５にイオン交換体を均一に充填することができ、加工が容易となる。さらにイオン交換体に導電繊維などを混合することで軟水室内の電気抵抗を低下させることができ、消費電力を低減することができる。
【００３６】
（実施の形態３）
以下、本発明の第３の実施形態について図面を用いて説明する。図３は軟水装置をヒートポンプ給湯機に用いた構成図である。図３において、給湯装置は貯湯タンク２４と、熱交換器２５を備えたヒートポンプユニット２６、熱交換給水路２７、貯湯タンク給水路２８、給湯回路２９を備えている。貯湯タンク２４の下部には熱交換器給水路２７、貯湯タンク給水路２８が接続され、熱交換器給水路２７には軟水化装置３５および循環ポンプ３６が設けられている。
【００３７】
以上の構成において、その動作、作用について説明する。軟水化装置３５における軟水化および再生時の動作は実施の形態１と同様であるので説明を省略する。ヒートポンプユニット２６では、冷媒が冷媒回路３１の中を循環し、蒸発器３２により冷媒に大気中の熱を取り込むと共に、圧縮手段３３で圧縮することでさらに冷媒を高温とし、熱交換器２５で熱交換器給水路２７から送られた軟水を加熱する。冷媒は膨張手段３４をへて蒸発器３２に送られ、再び大気熱を取り込みむものである。
【００３８】
循環ポンプ３６により貯湯タンク２４の下部から熱交換器給水路２７を経て熱交換器２５に供給された軟水は、熱交換器２５で高温に加熱され、給湯回路２９を通って貯湯タンク２４に送られる。使用者が給湯装置の湯を使用する時、貯湯タンク２４の上部の出湯回路３０より、湯水混合などで適温に調整された湯が使用者の使用箇所（台所、洗面所、風呂場など）に供給される。貯湯タンク２４の湯が使用されたときには、貯湯タンク２４の下部の貯湯タンク給水路２８より水が貯湯タンク２４に補充される。
【００３９】
熱交換器２５では、水が急速に加熱されるため水中に含まれるカルシウムやマグネシウム、などがスケールとして伝熱面に付着し熱交換効率を低下すると共に、熱交換器２５の水回路を閉塞する可能性もあった。しかしながら本実施の形態のように、熱交換器２５に軟水化装置３５で生成した軟水を供給することで、熱交換器の伝熱面に形成するスケール生成を抑制することができる。これにより、熱交換器の水回路閉塞を防止できると共に、熱交換効率を高めることができる。
【００４０】
さらに、軟水を風呂等の入浴洗浄時にもちいることで、石鹸カスの生成を抑えることができ、アレルギーの抑制や美容効果が得られることが知られており、軟水を肌や頭髪の洗浄水としてもちいることで、これらの軟水効果を得ることが出来ると共に、石鹸カスの生成やスケールの付着を抑制することができ、水周りの掃除の手間が軽減できるという効果も得ることが出来る。
【００４１】
さらに、本実施の形態のように貯湯タンク２４を持つヒートポンプ給湯器と組み合わせることで、軟水化装置においてイオン交換体を再生するために軟水を採取できない時間が生じた場合でも、貯湯タンク２４から温水を使用者に供給することができるため、使用者に不便をかけることをなくすことができる。
【００４２】
また、ヒートポンプ給湯器のように使用水量も多く、かつ屋外に設置する給湯機器に従来の軟水装置を組み合わせた場合には、塩の補充の頻度や量が多くなるとともに、集合住宅などの省スペースに設置した場合には塩の補充などメンテナンスの手間が作業性も悪く問題になることが考えられるが、本実施の形態の軟水装置をもちいることで、塩の使用を不要とし補充の手間を軽減することができる。
【産業上の利用可能性】
【００４３】
以上のように本発明にかかる軟水化装置は、薬剤の供給を不要とし連続的に軟水を供給するものであり、軟水を使用する機器としては洗濯機、食器洗浄器、給湯装置、調理機器など水を使用する機器に対して適用することができる。
【図面の簡単な説明】
【００４４】
【図１】本発明の実施の形態１における軟水化装置の構成図
【図２】本発明の実施の形態２における軟水化手段の構成図
【図３】本発明の実施の形態３における、軟水装置を備えた給湯装置の構成図
【符号の説明】
【００４５】
１  給水路
２  塩素除去手段
３  軟水化手段
４  隔膜
５  陽極室
６  陰極室
７  陽イオン交換体
８  陽極
９  陰イオン交換体
１０  陰極
１１  陰極室入り口
１２  陰極室出口
１３  陽極室入り口
１４  陽極室出口
１５  軟水使用機器
１６  再生切り替え弁
１７  排水流路
１８  圧損抵抗
１９  バイポーラ膜
２０  陰イオン交換体
２１  陽イオン交換体
２４  貯湯タンク
２５  熱交換器
２６  ヒートポンプユニット
２７  熱交換器給水路
２８  貯湯タンク給水路
２９  給湯回路
３０  出湯回路
３１  冷媒回路
３２  蒸発器
３３  圧縮手段
３４  膨張手段
３５  軟水化装置
３６  循環ポンプ
【図１】
2010069407.tif 000003
【図３】
2010069407.tif 000004
【図２】
2010069407.tif 000005